(57)【特許請求の範囲】
【請求項１】
光磁気ディスクを着脱可能に保持させるカートリッジホルダが装置本体に前後駆動可能に装着され、
前記カートリッジホルダに前後方向に延びる開口が設けられ、
前記光磁気ディスクに垂直な面内で揺動するアームが前記装置本体に設けられ、
前記アームの自由端部に前記開口に臨む磁気ヘッドが前記光磁気ディスクに垂直な面で回動可能に装着され、
前記磁気ヘッドを前記アームに対して直線状になる方向に付勢して前記アームに当接させるスプリングが設けられ、
前記開口の一側部側に位置して前後に延びる第１係合部が前記カートリッジホルダに設けられ、
前記第１係合部に前後に相対移動可能に係合する第２係合部が前記アームに設けられていると共に、
前記光磁気ディスクのローディング時に前記カートリッジホルダを後方へ移動させた後に下方に降下させ、アンローディング時に前記カートリッジホルダを前記ローディング時とは逆の動作をさせるローディング機構が設けられ、
前記第１，第２係合部は、ローディング動作時及びアンローディング動作時に前記アームを揺動させて、前記磁気ヘッドを光磁気ディスク面に接近もしくは光磁気ディスク面から離間させる光磁気ディスクドライブ装置の磁気ヘッド駆動機構であって、
前記磁気ヘッドを前記アームに回動自在に支持する支持ピンが前記アームに設けられ、位置決係合部が前記磁気ヘッドの先端部と基端部に設けられ、前記第１，第２係合部の少なくとも一方は弾性を有すると共に、
前記アームが光磁気ディスク面に接近するローディング時に、前記支持ピンが前記第１係合部から離反し且つ前記第１，第２係合部が互いに係合して前記位置決係合部を前記カートリッジホルダに押圧して前記磁気ヘッドの前記光磁気ディスクに対する位置決を行う一方、前記アームが光磁気ディスク面から離反する前記アンローディング時に前記第１，第２係合部が互いに離反し且つ前記支持ピンが前記第１係合部に係合することを特徴とする光磁気ディスクドライブ装置の磁気ヘッド駆動機構。
【請求項２】
請求項１記載の光磁気ディスクドライブ装置の磁気ヘッド駆動機構において、
前記第１係合部は前記カートリッジホルダに前後に向けて延設されたバネ性を有する係合片であると共に、前記第２係合部は前記磁気ヘッドに設けられた係合ピンであることを特徴とする光磁気ディスクドライブ装置の磁気ヘッド駆動機構。
【請求項３】
請求項１記載の光磁気ディスクドライブ装置の磁気ヘッド駆動機構において、
前記第１係合部は前記カートリッジホルダに前後に向けて延設された係合片であると共に、前記第２係合部は前記磁気ヘッドに板バネを介して取り付けられた係合ピンであることを特徴とする光磁気ディスクドライブ装置の磁気ヘッド駆動機構。
【発明の詳細な説明】
【０００１】
【発明の属する技術分野】
本発明は、光磁気ディスクのローディング及びアンローディングに伴ってアームを揺動させ、アーム先端の磁気ヘッドを光磁気ディスク面に接近もしくは光磁気ディスク面から離間させる光磁気ディスクドライブ装置の磁気ヘッド駆動機構に関する。
【０００２】
【従来の技術】
従来の光磁気ディスクドライブ装置には、カートリッジホルダを装置本体に前後駆動可能に装着させると共に、ローディング時にカートリッジホルダを後方に移動して後方の所定位置で降下させ、アンローディング時にローディング時とは逆に作動させるようにしたものがある。尚、カートリッジホルダには光磁気ディスクのディスクカートリッジが着脱可能に保持される様になっている。
【０００３】
しかも、この光磁気ディスクドライブ装置では、ディスクカートリッジをカートリッジホルダに挿入し、カートリッジホルダをアンローディング位置からローディング位置に向けて駆動することにより、ディスクカートリッジに収納された光磁気ディスクがスピンドルモータにセットされ回転駆動される様になっている。
【０００４】
そして、ディスクカートリッジに収納された光磁気ディスクには情報を書き込むことができる。情報を書き込む際には、光磁気ディスクの情報記録面にバイアス磁界を印加する必要があり、そのために、光磁気ディスクドライブ装置には磁気ヘッドが設けられている。この磁気ヘッドは、小判形状のコイルと、このコイル内に配置された可動マグネットとから構成されている。
【０００５】
この磁気ヘッドは、ディスクカートリッジのカートリッジホルダへの挿入開始時には、その邪魔とならないようにディスクカートリッジの搬送経路から退避状態とされ、ディスクカートリッジがローディング位置にあるときには、ディスクカートリッジ内に侵入して光磁気ディスクと近接状態とされるよう、コイル及び可動マグネットが光磁気ディスクドライブ装置本体に支承されている。
【０００６】
この磁気ヘッドの駆動機構としては、光磁気ディスクに垂直な面内で揺動するアームを前記装置本体に設けて、前記アームの自由端部に磁気ヘッドを前記光磁気ディスクに垂直な面で回動可能に装着し、前記カートリッジホルダに前後に延びる係合溝を設け、前記係合溝に係合する係合ピンを前記磁気ヘッドに設けると共に、前記カートリッジホルダの後方への移動に伴う前記光磁気ディスクのローディング時及びその逆の動作のアンローディング時に前記係合ピンと係合溝の作用により前記アームを揺動させて、前記磁気ヘッドを光磁気ディスク面に接近もしくは光磁気ディスク面から離間させる様にしたものがある。
【０００７】
【発明が解決しようとする課題】
ところで、上記従来の光磁気ディスクドライブ装置では、磁気ヘッドの片側にのみ係合ピンが設けられ、アンローディング時に、前記係合ピンをカートリッジホルダに設けられた係合溝に係合させることにより、磁気ヘッドをカートリッジホルダに固定するようにしている。
【０００８】
しかしながら、上記のように磁気ヘッドの片側のみを固定する構成であると、光磁気ディスクドライブ装置の搬送時に磁気ヘッドが大きく振動し、係合ピンやカートリッジホルダに過大な力が作用して、ピンやカートリッジホルダの係合溝を設けた部分が変形してしまうという欠点がある。
【０００９】
しかも、これらの変形により、ローディング時に磁気ヘッドが光磁気ディスクに当ったり、係合ピンによる磁気ヘッドの光磁気ディスクに対する位置精度が悪くなり好ましくない。
【００１０】
そこで、本発明の目的は、振動しても変形（破損）しない光磁気ディスクドライブ装置の磁気ヘッド駆動機構を提供することにある。
【００１１】
【課題を解決するための手段】
上記目的を達成するために、請求項１の発明は、光磁気ディスクを着脱可能に保持させるカートリッジホルダが装置本体に前後駆動可能に装着され、前記カートリッジホルダに前後方向に延びる開口が設けられ、前記光磁気ディスクに垂直な面内で揺動するアームが前記装置本体に設けられ、前記アームの自由端部に前記開口に臨む磁気ヘッドが前記光磁気ディスクに垂直な面で回動可能に装着され、
前記磁気ヘッドを前記アームに対して直線状になる方向に付勢して前記アームに当接させるスプリングが設けられ、前記開口の一側部側に位置して前後に延びる第１係合部が前記カートリッジホルダに設けられ、前記第１係合部に前後に相対移動可能に係合する第２係合部が前記アームに設けられていると共に、前記光磁気ディスクのローディング時に前記カートリッジホルダを後方へ移動させた後に下方に降下させ、アンローディング時に前記カートリッジホルダを前記ローディング時とは逆の動作をさせるローディング機構が設けられ、前記第１，第２係合部は、ローディング動作時及びアンローディング動作時に前記アームを揺動させて、前記磁気ヘッドを光磁気ディスク面に接近もしくは光磁気ディスク面から離間させる光磁気ディスクドライブ装置の磁気ヘッド駆動機構であって、前記磁気ヘッドを前記アームに回動自在に支持する支持ピンが前記アームに設けられ、位置決係合部が前記磁気ヘッドの先端部と基端部に設けられ、前記第１，第２係合部の少なくとも一方は弾性を有すると共に、前記アームが光磁気ディスク面に接近するローディング時に、前記支持ピンが前記第１係合部から離反し且つ前記第１，第２係合部が互いに係合して前記位置決係合部を前記カートリッジホルダに押圧して前記磁気ヘッドの前記光磁気ディスクに対する位置決を行う一方、前記アームが光磁気ディスク面から離反する前記アンローディング時に前記第１，第２係合部が互いに離反し且つ前記支持ピンが前記第１係合部に係合する光磁気ディスクドライブ装置の磁気ヘッド駆動機構としたことを特徴とする。
【００１２】
また、請求項２の発明は、請求項１記載の光磁気ディスクドライブ装置の磁気ヘッド駆動機構において、前記第１係合部は前記カートリッジホルダに前後に向けて延設されたバネ性を有する係合片であると共に、前記第２係合部は前記磁気ヘッドに設けられた係合ピンであることを特徴とする。
【００１３】
更に、請求項３の発明は、請求項１記載の光磁気ディスクドライブ装置の磁気ヘッド駆動機構において、前記第１係合部は前記カートリッジホルダに前後に向けて延設された係合片であると共に、前記第２係合部は前記磁気ヘッドに板バネを介して取り付けられた係合ピンであることを特徴とする。
【００１４】
【発明の実施の形態】
以下、本発明の実施の形態を図面に従って説明する。
【００１５】
(1)第１実施例
[構成]
本発明に係る光磁気ディスクドライブ装置は、図３に示したローディング機構と、図１，図２、図４〜図６に示した磁気ヘッド支持機構を有する。
【００１６】
＜ローディング機構＞
このローディング機構は、図３に示すように、ベースユニット１と、ベースユニット１上に固定の固定カム板２と、矢印Ａ１・Ａ２（前・後方向）方向に摺動可能の摺動カム板３と、光磁気ディスクを収納したディスクカートリッジを保持し、矢印Ａ１・Ａ２方向及び矢印Ｂ１・Ｂ２方向（上下方向）に往復動可能のカートリッジホルダ４とから大略構成されている。
【００１７】
ベースユニット１内の点線部には、摺動カム板３を駆動するための駆動ユニット（図示省略）が設けられている。この摺動カム板３にはその側板５に切欠スリット状のカム６が設けられている。しかも、カム６は、カムフォロア挿入のために設けられた垂直方向に延びる垂直カム部６ａと、垂直カム部６ａから傾斜して形成された傾斜カム部６ｂと、傾斜カム部６ｂの底部に形成された底部カム部６ｃとからなっている。
【００１８】
また、カートリッジホルダ４には、その外側面にカムフォロワ７が設けられている。固定カム板２には側板９にスリット状のガイド穴１０が形成されている。ガイド穴１０はほぼＬ字形状とされ、ディスクカートリッジの挿入方向（Ａ１方向と同方向）に延びる水平穴部１０ａと、垂直方向に延びる垂直穴部１０ｂとからなっている。カムフォロワ７はカム６とガイド穴１０とに摺動可能に嵌合されている。固定カム板２にはガイド突起１１が、摺動カム板３にはスリット状のガイド切欠１２がそれぞれ設けられ、摺動カム板３は固定カム板２上をガイド突起１１に案内されつつ摺動する。
【００１９】
そして、上述のディスクカートリッジがカートリッジホルダ４に挿入されると、摺動カム板３が図示しない駆動手段によりＡ１方向に駆動されて、ディスクカートリッジすなわち光磁気ディスクのローディングが開始される。これにより、カムフォロア７は、傾斜カム部６ｂのカム壁により押されながら、水平穴部１０ａに沿って矢印Ａ１方向に往動する。そして、カムフォロア７は水平穴部１０ａのＡ１方向終端に達すると、傾斜カム部６ｂのカム壁により押されながら、垂直穴部１０ｂに沿って矢印Ｂ１方向に垂直に下降し、底部カム部６ｃにより、垂直穴部１０ｂの下端に達する。これにより、ディスクカートリッジが書込・読取り可能なローディング位置にセットされる。
【００２０】
一方、摺動カム板３が図示しない駆動手段により矢印Ａ２方向に駆動されると、カムフォロア７は傾斜カム部６ｂのカム壁により押されつつ、垂直穴部１０ｂに沿って矢印Ｂ２方向に垂直に上昇する。そして、カムフォロア７は垂直穴部１０ｂの上端に達すると、傾斜カム部６ａのカム壁により押されて、水平穴部１０ａに沿って矢印Ａ２方向に復動し、カムフォロア７が水平穴部１０ａのＡ２方向終端に達する。これにより、ディスクカートリッジが挿入口から所定量突出したアンローディング位置（排出位置）となる。
【００２１】
また、カートリッジホルダ４の上板１４には、前後に延びるスリット状の開口１５が設けられていると共に、この開口１５の一側部に前後に間隔をおいて開口するスリット状切欠１５ａ，１５ｂが形成されている（図７参照）。このスリット状切欠１５ａ，１５ｂを設けることにより、上板１４にはスリット状切欠１５ａ，１５ｂ間に位置して前後に延びる突出片１４ａが形成されている。この突出片１４ａの手前側（スリット状切欠１５ｂ側）の角（コーナ部）には切欠１５ｃが形成されている。
【００２２】
しかも、この突出片１４ａに基部上には板バネ製のピン係合板３０が第１係合部として配設されている。このピン係合板３０は、図１２，１４に示した様に、突出片１４ａの基部に沿う取付板部３０ａ、取付板部３０ａから垂直に延びる起立板部３０ｂ、起立板部３０ｂの上端から突出片１４ａの先端上方まで延びる係合板部３０ｃから断面形状がクランク状に形成されている。このピン係合板３０は、図１，図２，図９，図１４に示した様に取付板部３０ａがビス３１を介して突出片１４ａの基部に固定されている。この係合板部３０ｃは、下段板部３０ｃ1と、スリット状切欠１５ｂ側端部に位置させた上段板部３０ｃ2と、この段板部３０ｃ1，３０ｃ2を連設する段差３０ｃ3を有する。また、このピン係合板３０と突出片１４ａとの間にはピン係合溝３２が形成されている。
【００２３】
そして、ディスクカートリッジがカートリッジホルダ４に挿入されたときは、ディスクカートリッジに設けられたシャッターがシャッター開口手段により開けられ、ディスクカートリッジに収納の光磁気ディスク面が開口１５の所にセットされる。この構成には周知の構造が採用できるので、その詳細は省略する。
【００２４】
また、カートリッジホルダ４の奥隅には一対の支軸１６，１６が設けられ、カートリッジホルダ４の内部には支軸１６，１６を中心に揺動する揺動アーム（図示省略）が設けられている。前記揺動アームは中間部にガイドピン１７，１７を有し、これらのガイドピン１７，１７が上板１４に形成された円弧状ガイドスリット１８，１８に移動自在に支持されている。これによって、前記揺動アームは、ディスクカートリッジのシャッターを開閉させるように構成されている。
【００２５】
＜磁気ヘッド２０＞
図１及び図２は、図４に示したローディング機構に磁気ヘッド２０を搭載した場合で、カートリッジホルダ４を上方から見た図である。そして、図１はアンローディング時のカートリッジホルダ４と磁気ヘッド２０との関係を示し、図２はローディング時のカートリッジホルダ４と磁気ヘッド２０との関係を示している。この磁気ヘッド２０は、上述の開口１５に臨ませられている。
【００２６】
また、磁気ヘッド２０は、小判形状のコイル２３と、このコイル２３の中央部に設けられた可動マグネット２４と、コイル２３及び可動マグネット２４を保持する枠体２５から大略構成されている。この枠体２５は、底壁２５ａ，側壁２５ｂ，２５ｃ及び前側壁２５ｄを有する。そして、側壁２５ｃの基端部には外側方（側壁２５ｂとは反対方向）に突出する位置決係合片５０が突設され、前側壁２５ｄには前側に突出する位置決係合片５１が突設されている。この位置決係合片５０，５１は同じ高さに設けられている。尚、２５ｅは底壁２５ａに設けられたスリットで、可動マグネット２４はスリット２５ｅ内に配設され、コイル２３は底壁２５ａ上に取り付けられている。
【００２７】
＜磁気ヘッド支持機構＞
磁気ヘッド支持機構は、図１及び図２に示すように、板状アーム２１、左右に延びるビーム２２を有する。このビーム２２の両端は固定カム板２の側板９に固定されている。このビーム２２の中央部には前側に突出する取付片２２ａ，２２ａが突設されている。
【００２８】
上述の板状アーム２１は側面形状がクランク状に形成されている。この板状アーム２１の基端部の両側部には支持軸６０，６０が突設されている。この支持軸６０，６０がビーム２２の取付片２２ａ，２２ａを貫通している。これにより板状アーム２１は支持軸６０，６０を中心に回動（揺動）できるようになっている。
【００２９】
この支持軸６０，６０には２つのコイルスプリング２９，２９が保持されている。このコイルスプリング２９，２９は、ビーム２２と板状アーム２１の中間部との間に介装されて、板状アーム２１を矢印Ｃ方向（図５参照）に付勢している。尚、コイルスプリング２９，２９のバネ付勢力による板状アーム２１の回動のストッパとなるものは、後述する支持ピン２６又は３３がピン係合板３０に当接することでなされている。このコイルスプリング２９のバネ付勢力はピン係合板３０のバネ力よりも小さく設定されている。
【００３０】
しかも、板状アーム２１の先端部側には、二股に分岐する側板状の先端アーム２１ａ，２１ｂが設けられている。この先端アーム部２１ａ，２１ｂは、磁気ヘッド２０のコイル２３と枠板２５の側壁２５ｂ及びコイル２３と枠板２５の側壁２５ｃとの間に配設されている。また、先端アーム部２１ａ，２１ｂの先端部には、互いに反対外方向に突出すると共に、側壁２５ｂ，２５ｃの中央部を貫通する同軸の支持ピン２６，２７が一体に設けられている。これにより、磁気ヘッド２０は支持ピン２６，２７を中心に回動できるようになっている。
【００３１】
このピン２７には、先端アーム部２１ｂと側壁２５ｃとの間に配設したコイルスプリング２８が保持されている。このコイルスプリング２８は、両端部が先端アーム部２１ｂと側壁２５ｃとに係止されていて、枠板２５の基端部側（後端部側）を先端アーム部２１ａ，２１ｂに当接させる方向に、即ち図５の如く板状アーム２１と枠板２５が直線状態となるように矢印Ｄ方向にバネ付勢している。また、先端アーム部２１ａの基部には支持ピン２６と同方向に突出する支持ピン３３が第２係合部として突設されている。
【００３２】
しかも、ピン２６は、アンローディング時には図１に示した様にピン係合溝３２に係合し、ローディング時には図１０に示した様にピン係合溝３２から外れる様になっている。また、ピン３３は、アンローディング時には図１に示した様にピン係合溝３２から外れ、ローディング時には図２，図８〜図１０に示した様にピン係合溝３２に係合する様になっている。この際、ピン３３は、係合板部３０ｃの上段板部３０ｃ2に弾接させられる様になっている。
【００３３】
[作用]
次に、この様な構成の光磁気ディスクドライブ装置の作用を説明する。
【００３４】
(i)光磁気ディスクのローディング
ディスクカートリッジがカートリッジホルダ４に挿入されていないアンローディング時には、カートリッジホルダ４はビーム２２から前側に大きく離反させられている。しかも、この位置では、図５に示した様に、磁気ヘッド２０の枠板２５に設けた位置決係合片５０，５１がカートリッジホルダ４の上板１４から上方に離反させられていると共に、コイルスプリング２８のバネ力により枠板２５の後部側が板状アーム２１の先端アーム部２１ａに当接させられて、磁気ヘッド２０及び先端アーム部２１ａ，２１ｂが直線状に且つ水平になっている。また、この位置では、図１に示した様に、支持ピン２７と同軸の支持ピン２６がピン係合溝３２の後部内に挿入されていると共に、支持ピン３３がピン係合溝３２から外れている。
【００３５】
この状態から、ディスクカートリッジがカートリッジホルダ４に挿入されると、摺動カム板３が図示しない駆動手段によりＡ１（後方）方向に駆動されて、ディスクカートリッジすなわち光磁気ディスクのローディングが開始される。これにより、カムフォロア７は、傾斜カム部６ｂのカム壁により押されながら、水平穴部１０ａに沿って矢印Ａ１方向に往動する。このカートリッジホルダ４のＡ１方向への移動に伴い、支持ピン３３はピン係合溝３２内に挿入される。
【００３６】
そして、カムフォロア７は水平穴部１０ａのＡ１方向終端に達すると、傾斜カム部６ｂのカム壁により押されながら、垂直穴部１０ｂに沿って矢印Ｂ１方向に垂直に下降し、底部カム部６ｃにより、垂直穴部１０ｂの下端に達する。これにより、ディスクカートリッジが書込・読取り可能なローディング位置にセットされることになる。
【００３７】
このカートリッジホルダ４の降下に伴って、ピン係合板３０もカートリッジホルダ４と一体に降下して、ピン係合板３０の上段板部３０ｃ2がコイルスプリング２９のバネ力に抗して支持ピン３３を下方に降下させ、板状アーム２１を支持軸６０を中心に下方に回動させる。
【００３８】
この板状アーム２１の下方への回動に伴い、先ず、磁気ヘッド２０の枠板２５に設けた位置決係合片５１がカートリッジホルダ４の上板１４に当接する。この後、更に板状アーム２１が下方へ回動すると、磁気ヘッド２０の後部側が位置決係合片５１を中心にコイルスプリング２８のバネ力に抗して下方に回動降下させられると共に、磁気ヘッド２０が板状アーム２１に対して支持ピン２６，２７を中心に回動させられる。これにより、支持ピン２６が切欠１５ｃを介して上板１４の下方に移動させられると共に、磁気ヘッド２０が開口１５内及び上板１４の下方に部分的に突出させられる。
【００３９】
そして、カムフォロア７が垂直穴部１０ｂの下端に達すると、位置決係合片５０がカートリッジホルダ４の上板１４に当接させられる。この位置では、ピン係合板３０の上段板部３０ｃ2が図１４の如く弾性変形して支持ピン３３を下方に押圧し、位置決係合片５０，５１を上板１４上に圧接している。この位置決係合片５０，５１により、磁気ヘッド２０と上板１４の下方のディスクカートリッジ内の光磁気ディスクとの間隔が正確に設定されて、磁気ヘッド２０が光磁気ディスクに最も近接させられた状態となる。
【００４０】
(ii)光磁気ディスクのアンローディング
一方、摺動カム板３が図示しない駆動手段により矢印Ａ２方向に駆動されると、カムフォロア７は傾斜カム部６ｂのカム壁により押されつつ、垂直穴部１０ｂに沿って矢印Ｂ２方向に垂直に上昇する。
【００４１】
この上昇に伴ってカートリッジホルダ４及びピン係合板３０が上昇する。この上昇に伴い、支持ピン３３がコイルスプリング２９の付勢力でピン係合部３０に当接しながら移動し、この支持ピン３３の移動で板状アーム２１が上昇する。この上昇は位置決係合片５１がカートリッジホルダ４の上板１４に当接した状態で行われ、この板状アーム２１の上昇に伴い枠体２５はコイルスプリング２８のバネ力で後部が板状アーム２１の下端部に当接する方向に回動させられる。この板状アーム２１の上昇がある程度まで行われると枠体２５は、後方の部分がコイルスプリング２８によって板状アーム２１の下端部に当接する。しかも、このある程度の上昇で、支持ピン２６が切欠１５ｃを介してピン係合溝３２に臨ませられてくる。
【００４２】
そして、カートリッジホルダ４が上昇し終る位置では、位置決係合片５１がカートリッジホルダ４の上板１４から離れ、支持ピン２６がピン係合溝３２内でピン係合板３０に当接する。この時、支持ピン３３はピン係合板３０の上段部３０c2から離れ、磁気ヘッド２０は支持ピン２６がコイルスプリング２９の付勢力に対してピン係合板３０に当接することで水平に保持される。
【００４３】
この後、カムフォロア７は、傾斜カム部６ｂのカム壁により押されて、水平穴部１０ａに沿って矢印Ａ２方向に復動する。そして、カムフォロア７が水平穴部１０ａのＡ２方向終端に達して、ディスクカートリッジが挿入口から所定量突出したアンローディング位置（排出位置）となる。
【００４４】
(2)第２実施例
以上説明した実施例では、第１係合部であるピン係合板３０にバネ性を持たせたが、必ずしもこれに限定されるものではない。例えば、図１５に示した様に、ピン係合板３０にはバネ性を持たせず、支持ピン３３を板バネ７０を介して板状アーム２１に取り付けた構成としてもよい。この場合にも、板バネ７０は第１実施例におけるピン係合板３０の上段板部３０ｃ2と同様な作用を有する。尚、この支持ピン３３と板バネ７０は、第２係合部を構成する。この板バネ７０のバネ力は、コイルスプリング２９のバネ付勢力よりも大きく設定されている。
【００４５】
【発明の効果】
以上説明したように、請求項１の発明は、光磁気ディスクを着脱可能に保持させるカートリッジホルダが装置本体に前後駆動可能に装着され、前記カートリッジホルダに前後方向に延びる開口が設けられ、前記光磁気ディスクに垂直な面内で揺動するアームが前記装置本体に設けられ、前記アームの自由端部に前記開口に臨む磁気ヘッドが前記光磁気ディスクに垂直な面で回動可能に装着され、
前記磁気ヘッドを前記アームに対して直線状になる方向に付勢して前記アームに当接させるスプリングが設けられ、前記開口の一側部側に位置して前後に延びる第１係合部が前記カートリッジホルダに設けられ、前記第１係合部に前後に相対移動可能に係合する第２係合部が前記アームに設けられていると共に、前記光磁気ディスクのローディング時に前記カートリッジホルダを後方へ移動させた後に下方に降下させ、アンローディング時に前記カートリッジホルダを前記ローディング時とは逆の動作をさせるローディング機構が設けられ、前記第１，第２係合部は、ローディング動作時及びアンローディング動作時に前記アームを揺動させて、前記磁気ヘッドを光磁気ディスク面に接近もしくは光磁気ディスク面から離間させる光磁気ディスクドライブ装置の磁気ヘッド駆動機構であって、前記磁気ヘッドを前記アームに回動自在に支持する支持ピンが前記アームに設けられ、位置決係合部が前記磁気ヘッドの先端部と基端部に設けられ、前記第１，第２係合部の少なくとも一方は弾性を有すると共に、前記アームが光磁気ディスク面に接近するローディング時に、前記支持ピンが前記第１係合部から離反し且つ前記第１，第２係合部が互いに係合して前記位置決係合部を前記カートリッジホルダに押圧して前記磁気ヘッドの前記光磁気ディスクに対する位置決を行う一方、前記アームが光磁気ディスク面から離反する前記アンローディング時に前記第１，第２係合部が互いに離反し且つ前記支持ピンが前記第１係合部に係合する構成としたので、装置搬送時等において装置に振動力が作用しても、装置の変形（破損）を防止できる。しかも、搬送時の強い振動などには弾性力で破損することなく、微弱な振動などに対しても確実に位置決されているので、装置に変形などの影響はおこらない。
【００４６】
また、請求項２の発明は、請求項１記載の光磁気ディスクドライブ装置の磁気ヘッド駆動機構において、前記第１係合部は前記カートリッジホルダに前後に向けて延設されたバネ性を有する係合片であると共に、前記第２係合部は前記磁気ヘッドに設けられた係合ピンである構成としたので、簡単な構成でローディング時に磁気ヘッドの光磁気ディスクに対する高い位置決精度を確保できる。
【００４７】
更に、請求項３の発明は、請求項１記載の光磁気ディスクドライブ装置の磁気ヘッド駆動機構において、前記第１係合部は前記カートリッジホルダに前後に向けて延設された係合片であると共に、前記第２係合部は前記磁気ヘッドに板バネを介して取り付けられた係合ピンである構成としたので、ローディング時に位置決係合片をカートリッジホルダに押し付けるバネ力の設定を容易に行うことができる。
【図面の簡単な説明】
【図１】本発明に係る光磁気ディスクドライブ装置のアンローディング時における要部上面図である。
【図２】本発明に係る光磁気ディスクドライブ装置のローディング時における要部上面図である。
【図３】本発明に係る光磁気ディスクドライブ装置のローディング機構であり、（Ａ）はカートリッジホルダを、（Ｂ）は揺動カム板を、（Ｃ）は固定カム板とベースユニットをそれぞれ示した斜視図である。
【図４】磁気ヘッドと磁気ヘッドの支持機構の上面図である。
【図５】磁気ヘッドと磁気ヘッドの支持機構のアンローディング時における側面図である。
【図６】磁気ヘッドと磁気ヘッドの支持機構のローディング時における側面図である。
【図７】カートリッジホルダの上板に設けた開口とピン係合溝との関係を示す部分斜視図である。
【図８】図６に示した板状アームの係合ピンとピン係合板との関係を示す説明図である。
【図９】図８に示したピン係合板の部分における平面図である。
【図１０】図６，図９の状態における支持ピンとピン係合溝との説明図である。
【図１１】図１０の上板の突出片を矢印Ｘ方向からみた説明図である
【図１２】図９のＹ１−Ｙ１線に沿う断面図である。
【図１３】図９のＹ２−Ｙ２線に沿う断面図である。
【図１４】図９のＹ３−Ｙ３線に沿う断面図である。
【図１５】この発明の他の実施例を示す要部断面図である。
【符号の説明】
４…カートリッジホルダ
１５…開口
２０…磁気ヘッド
２１…板状アーム
２６，２７…支持ピン
３０…ピン係合板（第１係合部，係合片）
３３…支持ピン（第２係合部，係合ピン）
５０，５１…位置決係合部
７０…板バネ
【図１】
0003650512.tif 000002
【図２】
0003650512.tif 000003
【図３】
0003650512.tif 000004
【図４】
0003650512.tif 000005
【図５】
0003650512.tif 000006
【図６】
0003650512.tif 000007
【図７】
0003650512.tif 000008
【図８】
0003650512.tif 000009
【図９】
0003650512.tif 000010
【図１０】
0003650512.tif 000011
【図１１】
0003650512.tif 000012
【図１２】
0003650512.tif 000013
【図１３】
0003650512.tif 000014
【図１４】
0003650512.tif 000015
【図１５】
0003650512.tif 000016